(57)【特許請求の範囲】
【請求項１】
空気の相対湿度に応じて、前記空気中の水蒸気を吸着するか又は空気中に水蒸気を放出することにより、空気の調湿を行うための調湿チャンバーであって、
内部に空間を区画するケーシングと、前記空間内に配された調湿材とを含み、
前記ケーシングは、空気が供給される入口と、空気が排出される出口とを有し、前記空間に前記入口から前記出口に向かう空気流れを形成し、
前記調湿材は、シート材の少なくとも表面に配されており、
前記シート材は、前記表面が、前記空気流れに沿うように前記ケーシング内に間隔をあけて複数配置されており、
前記シート材は、両側の前記表面が前記ケーシングの前記空間に面する第１シート材と、一方の前記表面のみが前記ケーシングの前記空間に面しかつ他方の前記表面が前記ケーシングの内面と接する第２シート材とを含み、
前記第２シート材の調湿材配置量が、前記第１シート材の調湿材配置量よりも小さいことを特徴とする調湿チャンバー。
【請求項２】
前記シート材は、前記入口側の端部及び前記出口側の端部が、それぞれ、前記入口及び前記出口から距離を隔てた位置に設けられている請求項１に記載の調湿チャンバー。
【請求項３】
前記シート材は、両側の前記表面が前記ケーシングの前記空間に面する第１シート材を含み、
前記第１シート材は、前記空気流れと直角な横断面において、前記空間をのびる本体部と、前記ケーシングの内面に沿うように前記本体部から折れ曲げられて前記ケーシングに固着された端部分とを含む請求項１又は２記載の調湿チャンバー。
【請求項４】
前記シート材は、パルプ繊維、不織布又は樹脂からなる請求項１乃至３のいずれかに記載の調湿チャンバー。
【発明の詳細な説明】
【技術分野】
【０００１】
本発明は、空気中の水蒸気を吸放湿することができる調湿チャンバーに関する。
【背景技術】
【０００２】
従来、建物の居室の内部壁面に、珪藻土等を用いた調湿パネルが用いられている。調湿パネルの表面は、微細な多孔質構造を有しており、例えば、居室の空気の相対湿度が高い場合、空気中の水蒸気を吸収することができる。一方、居室の空気の相対湿度が低い場合、調湿パネルに吸着された水蒸気が、空気中へと放出される。従って、調湿パネルは、建物内部の空気を調湿することができる。
【先行技術文献】
【特許文献】
【０００３】
【特許文献１】特開２００４−７６４９４号公報
【発明の概要】
【発明が解決しようとする課題】
【０００４】
上述のような調湿パネルは、空気と調湿材との接触面積が小さいため、その調湿性能（吸湿能力及び放湿能力）が十分に活用されていないという問題もあった。
【０００５】
本発明は、以上のような実状に鑑み案出されたもので、調湿材の吸湿能力及び放湿能力を最大限に発揮させることが可能な調湿チャンバーを提供することを主たる目的としている。
【課題を解決するための手段】
【０００６】
本発明は、空気の相対湿度に応じて、前記空気中の水蒸気を吸着するか又は空気中に水蒸気を放出することにより、空気の調湿を行うための調湿チャンバーであって、内部に空間を区画するケーシングと、前記空間内に配された調湿材とを含み、前記ケーシングは、空気が供給される入口と、空気が排出される出口とを有し、前記空間に前記入口から前記出口に向かう空気流れを形成し、前記調湿材は、シート材の少なくとも表面に配されており、前記シート材は、前記表面が、前記空気流れに沿うように前記ケーシング内に間隔をあけて複数配置されており、前記シート材は、両側の前記表面が前記ケーシングの前記空間に面する第１シート材と、一方の前記表面のみが前記ケーシングの前記空間に面しかつ他方の前記表面が前記ケーシングの内面と接する第２シート材とを含み、前記第２シート材の調湿材配置量が、前記第１シート材の調湿材配置量よりも小さいことを特徴とする。
【０００７】
本発明の他の態様では、前記シート材は、前記入口側の端部及び前記出口側の端部が、それぞれ、前記入口及び前記出口から距離を隔てた位置に設けられても良い。
【０００９】
本発明の他の態様では、前記シート材は、両側の前記表面が前記ケーシングの前記空間に面する第１シート材を含み、前記第１シート材は、前記空気流れと直角な横断面において、前記空間をのびる本体部と、前記ケーシングの内面に沿うように前記本体部から折れ曲げられて前記ケーシングに固着された端部分とを含むことができる。
【００１０】
本発明の他の態様では、前記シート材は、パルプ繊維、不織布又は樹脂から構成されても良い。
【発明の効果】
【００１１】
本発明は、空気の相対湿度に応じて、前記空気中の水蒸気を吸着するか又は空気中に水蒸気を放出することにより、空気の調湿を行うための調湿チャンバーであって、内部に空間を区画するケーシングと、前記空間内に配された調湿材とを含んでいる。前記ケーシングは、空気が供給される入口と、空気が排出される出口とを有し、前記空間に前記入口から前記出口に向かう空気流れを提供する。
【００１２】
従って、本実施形態の調湿チャンバーによれば、ケーシングの入口に、相対湿度の高い空気を供給することで、調湿材に水蒸気を吸着させることができ、ケーシングの出口から乾燥した空気を取り出すことができる。逆に、ケーシングの入口に、相対湿度の低い空気を供給することで、調湿材から水蒸気を放出させ、ケーシングの出口から加湿された空気を取り出すことができる。
【００１３】
また、調湿材は、シート材の少なくとも表面に配されており、前記シート材は、前記表面が、前記空気流れに沿うように前記ケーシング内に間隔をあけて複数配置されている。このような構成を具える調湿チャンバーは、空気と調湿材との接触面積を増大させることができる。従って、本発明の調湿チャンバーは、調湿材の吸湿能力及び放湿能力を最大限に発揮させることが可能になる。
【００１４】
また、調湿材の吸放湿速度は、それを保持する担体の熱容量の影響を受け、その熱容量が小さいほど、吸放湿速度が向上することが判明している。この点に関し、調湿材を保持するシート材は、厚さが小さく、ひいては熱容量が小さい。従って、本発明の調湿チャンバーでは、調湿材の吸放湿速度を高めることもできる。
【図面の簡単な説明】
【００１５】
【図１】本実施形態の調湿チャンバーの縦断面図である。
【図２】図１の調湿チャンバーのＡ−Ａ断面図である。
【図３】（Ａ）及び（Ｂ）は、図２の要部拡大図である。
【図４】図２のＢ−Ｂ断面図である。
【図５】本発明の実施形態に係る調湿チャンバーを換気システムに利用した住宅を概念的に示す側面図である。
【図６】本実施形態の第１チャンバーの斜視図である。
【図７】本実施形態の第２チャンバーの斜視図である。
【図８】本実施形態の調湿チャンバーの動作の一例を示すフローチャートである。
【発明を実施するための形態】
【００１６】
以下、本発明の実施形態について、図面に基づき詳細に説明される。なお、各図面は、発明の内容の理解を高めるためのものであり、誇張された表示が含まれる他、各図面間において、縮尺等は厳密に一致していない点が予め指摘される。
【００１７】
図１には、本実施形態の調湿チャンバー１の縦断面図が示されている。図２には、図１のＡ−Ａ断面図が示されている。図１及び図２に示されるように、本実施形態の調湿チャンバー１は、内部に空間２を区画するケーシング３と、ケーシング３内の空間に位置する調湿材（点状に図示されている）４とを含んでいる。
【００１８】
本実施形態において、ケーシング３は、例えば、ほぼ直方体形状の空間２を区画しており、その一端側に空気が供給される入口５が形成される一方、その他端側には空気が排出される出口６が形成されている。これにより、ケーシング３は、空間２の内部において、入口５から出口６に向かう空気流れを提供することができる。本実施形態において、ケーシング３の空間２には、入口５から出口６に向かう上下方向の空気流れが提供される。
【００１９】
ケーシング３の形状については、内部に空間を区画しうるものであれば、任意の形状が採用され得る。好ましい態様では、ケーシング３は、空間２側の内層３ａと、その外側の外層３ｂとを含む多層構造を具えている。内層３ａは、例えば、断熱材料で構成される。これにより、ケーシング３の内部の空間２が外部と断熱され、ひいては、内部の空気の温度（ひいては、相対湿度）の低下を最小限に抑えることができる。これは、調湿材４に安定した吸湿機能又は放湿機能を発揮させるのに有効である。
【００２０】
調湿材４は、例えば、無機多孔質材料が好適であり、例えば、珪藻泥岩、珪藻頁岩、アロフェン、シリカゲル、イモゴライト、セピオライト、ゼオライト及び大谷石等の１種又は２種以上を混合して用いられる。これらの調湿材４は、天然鉱物として産出されたままの状態であってもよいし、焼成又は変成されたものも使用できる。本実施形態では、調湿材４として、ゼオライト系の多孔質材料が用いられている。
【００２１】
本実施形態の調湿材４は、粒状体で用いられている。調湿材４の粒径は、特に限定されるものではないが、過度に大きくなると、強度等や加工性が悪化するおそれがあるので、例えば、２mm以下、より好ましくは１mm以下であるのが望ましい。
【００２２】
図１に示されるように、本実施形態の調湿材４は、シート材７の少なくとも表面に配されている。シート材７は、粉粒体状の調湿材４を表面に保持しうるものであれば、あらゆる材料のものが採用できる。好ましい態様では、シート材７は、パルプ繊維からなる紙材、不織布や織布といった布材、さらには、樹脂等のバインダーによって成形されたシート体などが好適に採用できる。
【００２３】
本実施形態のシート材７は、パルプ繊維と粉粒体の調湿材４との混合材料を抄いた混抄紙が用いられている。これにより、調湿材４は、シート材７の両方の表面のみならず、その内部にも多数配置され得る。また、シート材７として、布材や樹脂材料が用いられる場合、接着材やバインダーなどを用いて、それらの表面に調湿材４を付着させることができる。
【００２４】
本発明では、調湿材４が配されたシート材７は、その表面が、ケーシング３の内部の空気流れに沿うようにケーシング３内に間隔をあけて複数配置されている。即ち、シート材７の表面は、ケーシング３内の上下方向に沿って配置されており、かつ、シート材７の平面と直角な方向に間隔をあけて複数配置されている。
【００２５】
以上のように構成された調湿チャンバー１は、ケーシング３の入口５に、相対湿度の高い空気を供給することで、調湿材４に空気中の水蒸気を吸着させることができ、ケーシング３の出口６から乾燥した空気を取り出すことができる（以下、「吸湿モード」という。）。逆に、ケーシング３の入口５に、相対湿度の低い空気を供給することで、調湿材４は、空気中に水蒸気を放出し、ケーシング３の出口６から加湿された空気を取り出すことができる（以下、「放湿モード」という。）。本実施形態の調湿チャンバー１から取り出される加湿空気又は乾燥空気は、必要に応じて、あらゆる空間に提供することができ、好ましくは、住宅の換気システム等に利用され得る。
【００２６】
また、本実施形態の調湿チャンバー１の調湿材４は、複数のシート材７の表面に配されているため、ケーシング３内の空気との接触機会を高め、湿気交換面積を増大させ得る。従って、本実施形態の調湿チャンバー１は、調湿材４の吸湿能力及び放出能力を最大限に高めることができる。
【００２７】
さらに、発明者らの種々の実験の結果、調湿材４の吸放湿速度は、それを保持する担体（シート材７）の熱容量の影響を受け、一般に、前記熱容量が小さいほど、吸放湿速度が向上することが判明している。この点に関し、調湿材４を保持しているシート材７は、厚さが小さいため、熱容量も小さく構成されるので、本実施形態の調湿チャンバー１では、調湿材４の吸放湿速度を高めることもできる。
【００２８】
図２に良く表されているように、シート材７は、第１シート材７ａと、第２シート材７ｂとを含んでいる。
【００２９】
第１シート材７ａは、両側の表面がケーシング３の空間２に面している。空間２に面するとは、空間２の空気と実質的に接触するように配置されていることを意味する。一方、第２シート材７ｂは、一方の表面のみがケーシング３の空間２に面し、かつ、他方の表面は、ケーシング３の内面３ｉ（即ち、本実施形態では、内層３ａの内面）と接し、空間２の空気と実質的に接触していない。
【００３０】
図３（Ａ）には、図２の第１シート材７ａの要部拡大図が示されている。第１シート材７ａは、前記空気流れと直角な横断面において、空間２をのびる本体部１０と、ケーシング３の内面３ｉに沿うように本体部１０から折れ曲げられてケーシング３に固着された端部分１１とを含んでいる。このような第１シート材７ａは、本体部１０の長手方向に沿った面と、本体部１０と直交する面（端部分１１の表面）の双方に、調湿材４を配置することができる。従って、ケーシング３の内面に、より効率的に調湿材４を配置することができる。
【００３１】
また、第１シート材７ａの本体部１０は、ケーシング３の内層３ａに接触していないので、そこに保持されている調湿材４の吸放湿速度を効果的に高めることができる。従って、このような位置には、より多くの調湿材４を配置することが望ましい。
【００３２】
一方、図３（Ｂ）には、図２の第２シート材７ｂの要部拡大図が示される。第２シート材７ｂは、他方の表面は、ケーシング３の断熱材からなる内層３ａの内面と接触している。このため、第２シート材７ｂは、ケーシング３によって保持されるので、その調湿材４の吸放湿速度が低下する。このような位置には、相対的に少ない調湿材４を配置することが望ましい。
【００３３】
このような観点より、本実施形態の第１シート材７ａは、図３（Ａ）に示されるように、厚さｔの調湿材付きの単位シート材１２を複数枚（この例では２枚）積層して形成されている一方、本実施形態の第２シート材７ｂは、図３（Ｂ）に示されるように、厚さｔの単位シート材１２が、第１シート材７ａよりも少ない枚数用いられて形成されている。本実施形態では、第２シート材７ｂは、単位シート材１２の１枚で形成されている。各単位シート材１２は、それぞれ実質的に同じ調湿材の配置量（質量）を有するように構成されている。従って、本実施形態の調湿チャンバー１においては、第２シート材７ｂの調湿材配置量（質量）は、第１シート材７ａの調湿材配置量（質量）よりも小さく、それらの比は約１：２とされている。
【００３４】
単位シート材１２の厚さｔは、特に限定されないが、極力小さいことが望ましい。これにより、調湿材４の吸放湿性能を高めながら、より多くの単位シート材１２をケーシング３の空間２の中に配置することができる。一方、単位シート材の厚さｔが小さすぎると、強度や耐久性が低下するおそれがある。このような観点より、前記厚さｔは、好ましくは０．５〜２．０mm程度が望ましい。
【００３５】
図４には、図２のＢ−Ｂ断面図が示されている。図１及び図４に示されるように、シート材７は、入口５側の端部１５及び出口６側の端部１６が、それぞれ、入口５及び出口６から、空気流れに沿って距離Ｌを隔てた位置に設けられている。このような構成により、入口５から供給された空気は、各シート材７の間の空隙に満遍なく供給され、かつ、出口６から取り出すことができ、広い範囲で吸放湿作用を保証することができる。好ましい態様では、前記距離Ｌは、５０〜２００mm程度が好適である。
【００３６】
本実施形態の調湿チャンバー１は、あらゆる用途に利用することができる。図５は、その一例として、本実施形態に係る調湿チャンバー１を居室２５の換気システムに利用した住宅２０を概念的に示す側面図である。より具体的には、冬期において、居室２５を換気しながら、空調及び加湿しうるシステムが以下に説明される。
【００３７】
図５の実施形態では、調湿チャンバー１として、実質的に同一の構造の第１チャンバー１Ａ及び第２チャンバー１Ｂが並列的に用いられている。
【００３８】
第１チャンバー１Ａは、予め定められた時間で放湿モードと吸湿モードとを交互に繰り返しながら利用される。従って、第１チャンバー１Ａは、放湿モード時、その出口６から加湿された空気を取り出すことができる。また、第１チャンバー１Ａは、吸湿モード時、次の放湿モードのために、空気中の水蒸気を自らの調湿材４に吸着させることができる。
【００３９】
第２チャンバー１Ｂも、第１チャンバー１Ａと同様に、予め定められた時間で放湿モードと吸湿モードとを交互に繰り返しながら利用される。従って、第２チャンバー１Ｂは、放湿モード時、その出口６から加湿された空気を取り出すことができる。また、第２チャンバー１Ｂは、吸湿モード時、次の放湿モードのために空気中の水蒸気を自らに吸収することができる。
【００４０】
一方、本実施形態では、第２チャンバー１Ｂは、常に、第１チャンバー１Ａの運転モードとは異なる運転モードとされる。即ち、第１チャンバー１Ａが放湿モードで運転されている間、第２チャンバー１Ｂは吸湿モードで運転され、第１チャンバー１Ａが吸湿モードで運転されている間、第２チャンバー１Ｂは放湿モードで運転される。従って、本実施形態のシステムでは、第１チャンバー１Ａ又は第２チャンバー１Ｂの放湿モードを交互に利用することで、加湿された空気を実質的に連続して取り出すことができる。
【００４１】
図６には、第１チャンバー１Ａの斜視図、図７には、第２チャンバー１Ｂの斜視図がそれぞれ示されている。図５乃至７に示されるように、各チャンバー１Ａ及び１Ｂには、下面側に２つの入口５が、上面側には２つの出口６がそれぞれ設けられている。
【００４２】
第１チャンバー１Ａの一方の入口５には、外気供給路２１を介して、外気が供給される。一般に、冬期では、外気は、居室２５内の空気よりも温度が低く、ひいては相対湿度が高い。外気供給路２１は、冬期において相対湿度の高い外気を第１チャンバー１Ａ及び第２チャンバー１Ｂに供給して吸湿モードを実行させる。外気供給路２１は、例えば、一端側が、住宅２０の基礎２６に設けられた基礎換気口２８を通じて外気と連通している。
【００４３】
また、外気供給路２１は、その途中に、切替ダンパー３０によって、いずれかに択一的に切り替えられる第１分岐路２１Ａ及び第２分岐路２１Ｂを含んでいる。本実施形態では、外気供給路２１の第１分岐路２１Ａが第１チャンバー１Ａの一方の入口５に、外気供給路２１の第２分岐路２１Ｂが第２チャンバー１Ｂの一方の入口５にそれぞれ接続されている。従って、外気供給路２１は、切替ダンパー３０を切替制御することにより、第１チャンバー１Ａ又は第２チャンバーのいずれか一方にのみ外気を供給し、吸湿モードで運転させることができる。
【００４４】
第１チャンバー１Ａのもう一方の入口５には、換気空気供給路２２を介して、換気空気が供給される。換気空気供給路２２は、居室２５を空調（暖房）しながら換気するための空気を第１チャンバー１Ａ及び第２チャンバー１Ｂに搬送するための流路であって、例えば、一端側が、熱源チャンバー４０に接続されている。
【００４５】
熱源チャンバー４０は、内部に断熱された空間を区画するケーシングを具えており、その内部には空気調和機の室内機５０が配置されている。熱源チャンバー４０には、室内機５０の空気吸込口側に、基礎換気口２８から外気を導入する第１入口４０ａと、居室２５の換気出口２５ｂから居室２５の空気（内気）を導入する第２入口４０ｂとがそれぞれ設けられている。また、熱源チャンバー４０には、室内機５０の空気吹出口側に、室内機５０で熱交換された空気が吹き出される出口４０ｃが設けられている。この出口４０ｃには、換気空気供給路２２の一端が接続されている。なお、室内機５０の空気吸込口と空気吹出口とは、互いの空気が混合しないように隔てられている。
【００４６】
従って、空気調和機を運転することにより、熱源チャンバー４０内の室内機５０は、新鮮な外気と居室２５の空気との混合気を所望の温度に高め（相対湿度を低下させ）、換気空気として、出口４０ｃから排出することができる。
【００４７】
換気空気供給路２２は、その途中に、切替ダンパー３２によって、いずれかに択一的に切り替えられる第１分岐路２２Ａ及び第２分岐路２２Ｂを含んでいる。本実施形態では、換気空気供給路２２の第１分岐路２２Ａが第１チャンバー１Ａのもう一つの入口５に、換気空気供給路２２の第２分岐路２２Ｂが第２チャンバー１Ｂのもう一つの入口５にそれぞれ接続されている。従って、換気空気供給路２２は、切替ダンパー３２を切替制御することにより、第１チャンバー１Ａ又は第２チャンバー１Ｂのいずれか一方にのみ、熱源チャンバー４０内で生成された暖められた換気空気を供給し、放湿モードで運転させることができる。これにより、換気空気が供給された第１チャンバー１Ａ又は第２チャンバー１Ｂの出口６からは、調湿材から水蒸気を受け取って加湿された換気空気を取り出すことができる。
【００４８】
第１チャンバー１Ａの一方の出口６には、排気路２３が接続されている。排気路２３は、第１チャンバー１Ａ及び第２チャンバー１Ｂを通った空気を住宅２０の外部に排出するための流路であって、例えば、一端側が、住宅２０の小屋裏又は軒天井等を通して外気と連通している。
【００４９】
また、排気路２３は、その途中に、切替ダンパー３４によって、いずれかに択一的に切り替えられる第１分岐路２３Ａ及び第２分岐路２３Ｂを含んでいる。本実施形態では、排気路２３の第１分岐路２３Ａが第１チャンバー１Ａの一方の出口６に、排気路２３の第２分岐路２３Ｂが第２チャンバー１Ｂの一方の出口６にそれぞれ接続されている。さらに、排気路２３には、第１分岐路２３Ａ及び第２分岐路２３Ｂを負圧にするための排気用のファン３５が設けられている。
【００５０】
排気路２３は、切替ダンパー３４を切替制御されることにより、第１チャンバー１Ａ及び第２チャンバー１Ｂのいずれか一方の空気を住宅２０の外部に排出することができる。本実施形態では、吸湿モードで運転中のチャンバーにのみ、排気路２３が接続されるように、切替ダンパー３４が制御される。これにより、チャンバー内の調湿材４に水蒸気を奪われ、相対湿度の低下した空気が住宅２０の外気へと排出される。
【００５１】
第１チャンバー１Ａのもう一方の出口６には、換気路２４の一端が接続されている。換気路２４は、第１チャンバー１Ａ又は第２チャンバー１Ｂを通った空気を住宅２０の居室２５に供給するための流路である。換気路２４の他端は居室２５の換気入口２５ａに連通している。また、換気路２４は、その途中に、切替ダンパー３６によって、いずれかに択一的に切り替えられる第１分岐路２４Ａ及び第２分岐路２４Ｂを含んでいる。
【００５２】
本実施形態では、換気路２４の第１分岐路２４Ａが第１チャンバー１Ａのもう一つの出口６に、換気路２４の第２分岐路２４Ｂが第２チャンバー１Ｂのもう一つの出口６にそれぞれ接続されている。本実施形態では、換気路２４の切替ダンパー３６は、放湿モードで運転されている第１チャンバー１Ａ又は第２チャンバー１Ｂが、常に居室２５に連通するように、切替制御される。
【００５３】
上記した切替ダンパー３０、３２、３４及び３６は、図示しない制御装置によって、予め定められた処理手順で切替え制御される。
【００５４】
以上のように構成された換気システムの運転フローは、図８のフローチャートで示されている。
【００５５】
制御装置は、先ず、計時を開始した後（ステップＳ１）、第１チャンバー１Ａを放湿モードに切り替える（ステップＳ２）。これにより、第１チャンバー１Ａで加湿された換気空気が居室２５へと供給される。第１チャンバー１Ａの放湿モードは、次のようにして得られる。
【００５６】
［第１チャンバーの放湿モード］
切替ダンパー３２の切替により、換気空気供給路２２の第１分岐路２２Ａと第１チャンバー１Ａの入口５とを連通させる。また、切替ダンパー３６の切替により、換気路２４の第１分岐路２４Ａと、第１チャンバー１Ａの出口６とを連通させる。これにより、熱源チャンバー４０で空調された換気空気は、換気空気供給路２２を通り、第１チャンバー１Ａで加湿され、換気路２４を経て居室２５へと供給される。
【００５７】
次に、制御装置は、第２チャンバー１Ｂを吸湿モードに切り替える（ステップＳ３）。これにより、第２チャンバー１Ｂに、外気の水蒸気を吸着させることができる。第２チャンバー１Ｂの吸湿モードは、次のようにして得られる。
【００５８】
［第２チャンバーの吸湿モード］
切替ダンパー３０の切替により、外気供給路２１の第２分岐路２１Ｂと第２チャンバー１Ｂの入口５とを連通させる。また、切替ダンパー３４の切替により、排気路２３の第２分岐路２３Ｂと、第２チャンバー１Ｂの出口６とを連通させる。これにより、相対湿度の高い外気は、外気供給路２１を通り、第２チャンバー１Ｂで吸湿され、排気路２３を経て住宅２０の外部に排出される。
【００５９】
次に、制御装置は、予め定められた時間が経過したか否かを判断し（ステップＳ４）、結果が否定的である場合（ステップＳ４でＮ）、ステップＳ２及びＳ３をループする。従って、予め定められた時間が経過するまで、第１チャンバー１Ａは、放湿モードで運転される一方、第２チャンバー１Ｂは、吸湿モードで運転される。上記「時間」は、各チャンバー１Ａ及び１Ｂの調湿材４の吸放湿性能及び通過風量とに基づいて、完全に放湿を終えるまでのぎりぎりの時間として設定されることが望ましい。
【００６０】
次に、ステップＳ４の結果が肯定的である場合（ステップＳ４でＹ）、制御装置は、これまでの計時をリセットし、新たな計時を開始する（ステップＳ６）。
【００６１】
次に、制御装置は、第１チャンバー１Ａを吸湿モードに切り替える（ステップＳ７）。これにより、第１チャンバー１Ａの調湿材４に、外気の水蒸気を吸収させることができる。第１チャンバー１Ａの吸湿モードは、次のようにして得られる。
【００６２】
［第１チャンバーの吸湿モード］
切替ダンパー３０の切替により、外気供給路２１の第１分岐路２１Ａと第１チャンバー１Ａの入口５とを連通させる。また、切替ダンパー３４の切替により、排気路２３の第１分岐路２３Ａと、第１チャンバー１Ａの出口６とを連通させる。これにより、相対湿度の高い外気は、外気供給路２１を通り、第１チャンバー１Ａで吸湿され、排気路２３を経て住宅２０の外部に排出される。
【００６３】
次に、制御装置は、第２チャンバー１Ｂを放湿モードに切り替える（ステップＳ８）。これにより、第２チャンバー１Ｂで加湿された換気空気が居室２５へと供給される。第２チャンバー１Ｂの放湿モードは、次のようにして得られる。
【００６４】
［第２チャンバーの放湿モード］
切替ダンパー３２の切替により、換気空気供給路２２の第２分岐路２２Ｂと第２チャンバー１Ｂの入口５とを連通させる。また、切替ダンパー３６の切替により、換気路２４の第２分岐路２４Ｂと、第２チャンバー１Ｂの出口６とを連通させる。これにより、熱源チャンバー４０で空調された換気空気は、換気空気供給路２２を通り、第２チャンバー１Ｂで加湿され、換気路２４を経て居室２５へと供給される。
【００６５】
次に、制御装置は、予め定められた時間が経過したか否かを判断し（ステップＳ９）、結果が否定的である場合（ステップＳ９でＮ）、ステップＳ７及びＳ８をループする。従って、予め定められた時間が経過するまで、第２チャンバー１Ｂは、放湿モードで運転される一方、第１チャンバー１Ａは、吸湿モードで運転される。次に、ステップＳ９の結果が肯定的である場合（ステップＳ９でＹ）、制御装置は、これまでの計時をリセットし（ステップＳ１０）、新たな計時を開始する（ステップＳ１）。以後、ステップＳ２以降が繰り返される。
【００６６】
従って、本実施形態の調湿チャンバーを用いた換気システムによれば、居室２５に、空調及び加湿された外気を連続的に供給することができる。
【符号の説明】
【００６７】
１  調湿チャンバー
２  空間
３  ケーシング
４  調湿材
５  入口
６  出口
７  シート材
７ａ  第１シート材
７ｂ  第２シート材
１０  第１シート材の本体部
１１  第１シート材の端部分
【図１】
0006496228.tif 000002
【図２】
0006496228.tif 000003
【図３】
0006496228.tif 000004
【図４】
0006496228.tif 000005
【図５】
0006496228.tif 000006
【図６】
0006496228.tif 000007
【図７】
0006496228.tif 000008
【図８】
0006496228.tif 000009